(57)【要約】【課題】  携帯端末装置によって、家電製品の代わりに容易に認証サーバ装置に家電製品を認証させることができる認証方法、認証システム、携帯端末装置、認証サーバ装置およびプログラムを提供する。【解決手段】  携帯端末装置１から認証サーバ装置２に対してワンタイムパスワードの発行を要求し、発行されたワンタイムパスワードを認証させたい電子機器である自律型掃除機３に送信する。自律型掃除機３は、認証サーバ装置２に、受信したワンタイムパスワードを送信して認証を求める。認証サーバ装置２は、携帯端末装置１に対して自律型掃除機３の認証を許可するかの確認を求め、携帯端末装置１が許可すれば自律型掃除機３の認証を行う。【選択図】      図１
2014021926.tif 000002
【特許請求の範囲】
【請求項１】
携帯端末装置と、認証サーバ装置と、電子機器とが互いにデータ通信可能に構成される認証システムにおける、携帯端末装置および電子機器からの要求に応じて、認証サーバ装置が携帯端末装置および電子機器の認証を行う認証方法であって、
（ａ）認証サーバ装置によってすでに認証された携帯端末装置が、認証サーバ装置に対して、電子機器を認証させるための認証パスワードの発行を要求するパスワード要求ステップと、
（ｂ）認証サーバ装置が、携帯端末装置から認証パスワードの発行の要求を受けると、認証パスワードを発行し、発行した認証パスワードを、認証パスワードの発行を要求した携帯端末装置に対して送信するパスワード発行ステップと、
（ｃ）携帯端末装置が、認証サーバ装置から認証パスワードを受信すると、受信した認証パスワードを、認証させようとする電子機器に対して送信する送信ステップと、
（ｄ）電子機器が、携帯端末装置から認証パスワードを受信すると、受信した認証パスワードを発行した認証サーバに対して、受信した認証パスワードを送信するとともに、認証を要求し、認証を要求したことをユーザに報知する認証要求ステップと、
（ｅ）認証サーバ装置が、電子機器から認証パスワードを受信し、認証の要求を受けると、受信した認証パスワードの発行をパスワード要求ステップで要求した携帯端末装置に対して、電子機器の認証を許可するかどうかを確認する確認ステップと、
（ｆ）携帯端末装置が、認証サーバ装置からの確認に対して電子機器の認証を許可するとの確認結果または許可しないとの確認結果を、認証サーバ装置に送信する確認結果送信ステップと、
（ｇ）認証サーバ装置が、携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証する機器認証ステップと、を有することを特徴とする認証方法。
【請求項２】
（ｄ）認証要求ステップで、電子機器に認証を継続して許可する期間の有効期限が設定されていることを特徴とする請求項１記載の認証方法。
【請求項３】
前記有効期限は、（ｃ）送信ステップで、携帯端末装置が設定することを特徴とする請求項２記載の認証方法。
【請求項４】
電子機器は、文字列を入力する入力手段を備えていないことを特徴とする請求項１〜３のいずれか１つに記載の認証方法。
【請求項５】
電子機器は、掃除機、冷蔵庫、照明装置または空気調和装置であることを特徴とする請求項４に記載の認証方法。
【請求項６】
携帯端末装置と、認証サーバ装置と、電子機器とからなり、これらが互いにデータ通信可能に構成され、携帯端末装置および電子機器からの要求に応じて、認証サーバ装置が携帯端末装置および電子機器の認証を行う認証システムであって、
携帯端末装置は、
認証サーバ装置によってすでに認証された状態で、認証サーバ装置に対して、電子機器を認証させるための認証パスワードの発行を要求するパスワード要求手段と、
認証サーバ装置から認証パスワードを受信すると、受信した認証パスワードを、認証させようとする電子機器に対して送信する送信手段と、
認証サーバ装置からの確認に対して電子機器の認証を許可するとの確認結果または許可しないとの確認結果を認証サーバ装置に送信する確認結果送信手段と、を備え、
電子機器は、
携帯端末装置から認証パスワードを受信すると、受信した認証パスワードを発行した認証サーバに対して、受信した認証パスワードを送信するとともに、認証を要求する認証要求手段と、
認証要求手段が、認証サーバに対して自機の認証を要求すると、認証を要求したことをユーザに報知する報知手段と、を備え、
認証サーバ装置は、
携帯端末装置から認証パスワードの発行の要求を受けると、認証パスワードを発行し、発行した認証パスワードを、認証パスワードの発行を要求した携帯端末装置に対して送信するパスワード発行手段と、
電子機器から認証パスワードを受信し、認証の要求を受けると、受信した認証パスワードの発行を要求した携帯端末装置に対して、電子機器の認証を許可するかどうかを確認する確認手段と、
携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証する機器認証手段と、を備えることを特徴とする認証システム。
【請求項７】
電子機器の認証を許可する場合には、認証を継続して許可する期間である認証期間の有効期限が設定されていることを特徴とする請求項６記載の認証システム。
【請求項８】
携帯端末装置は、前記有効期限を設定する有効期限設定手段をさらに備えることを特徴とする請求項７記載の認証システム。
【請求項９】
報知手段は、発光することで報知する発光装置または音声を出力することで報知する音声出力装置であることを特徴とする請求項６〜８のいずれか１つに記載の認証システム。
【請求項１０】
電子機器は、文字列を入力する入力手段を備えていないことを特徴とする請求項６〜９のいずれか１つに記載の認証システム。
【請求項１１】
電子機器は、掃除機、冷蔵庫、照明装置または空気調和装置であることを特徴とする請求項６〜１０のいずれか１つに記載の認証システム。
【請求項１２】
携帯端末装置と、認証サーバ装置と、電子機器とからなり、これらが互いにデータ通信可能に構成され、携帯端末装置および電子機器からの要求に応じて、認証サーバ装置が携帯端末装置および電子機器の認証を行う認証システムを構成する携帯端末装置であって、
携帯端末装置は、
認証サーバ装置によってすでに認証された状態で、認証サーバ装置に対して、電子機器を認証させるための認証パスワードの発行を要求するパスワード要求手段と、
認証サーバ装置から認証パスワードを受信すると、受信した認証パスワードを、認証させようとする電子機器に対して送信する送信手段と、
認証サーバ装置からの確認に対して電子機器の認証を許可するとの確認結果または許可しないとの確認結果を認証サーバ装置に送信する確認結果送信手段と、を備え、
電子機器は、
携帯端末装置から認証パスワードを受信すると、受信した認証パスワードを発行した認証サーバに対して、受信した認証パスワードを送信するとともに、認証を要求する認証要求手段と、
認証要求手段が、認証サーバに対して自機の認証を要求すると、認証を要求したことをユーザに報知する報知手段と、を備え、
認証サーバ装置は、
携帯端末装置から認証パスワードの発行の要求を受けると、認証パスワードを発行し、発行した認証パスワードを、認証パスワードの発行を要求した携帯端末装置に対して送信するパスワード発行手段と、
電子機器から認証パスワードを受信し、認証の要求を受けると、受信した認証パスワードの発行を要求した携帯端末装置に対して、電子機器の認証を許可するかどうかを確認する確認手段と、
携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証する機器認証手段と、を備えていることを特徴とする携帯端末装置。
【請求項１３】
携帯端末装置と、認証サーバ装置と、電子機器とからなり、これらが互いにデータ通信可能に構成され、携帯端末装置および電子機器からの要求に応じて、認証サーバ装置が携帯端末装置および電子機器の認証を行う認証システムを構成する認証サーバ装置であって、
携帯端末装置は、
認証サーバ装置によってすでに認証された状態で、認証サーバ装置に対して、電子機器を認証させるための認証パスワードの発行を要求するパスワード要求手段と、
認証サーバ装置から認証パスワードを受信すると、受信した認証パスワードを、認証させようとする電子機器に対して送信する送信手段と、
認証サーバ装置からの確認に対して電子機器の認証を許可するとの確認結果または許可しないとの確認結果を認証サーバ装置に送信する確認結果送信手段と、を備えており、
電子機器は、
携帯端末装置から認証パスワードを受信すると、受信した認証パスワードを発行した認証サーバに対して、受信した認証パスワードを送信するとともに、認証を要求する認証要求手段と、
認証要求手段が、認証サーバに対して自機の認証を要求すると、認証を要求したことをユーザに報知する報知手段と、を備え、
認証サーバ装置は、
携帯端末装置から認証パスワードの発行の要求を受けると、認証パスワードを発行し、発行した認証パスワードを、認証パスワードの発行を要求した携帯端末装置に対して送信するパスワード発行手段と、
電子機器から認証パスワードを受信し、認証の要求を受けると、受信した認証パスワードの発行を要求した携帯端末装置に対して、電子機器の認証を許可するかどうかを確認する確認手段と、
携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証する機器認証手段と、を備えることを特徴とする認証サーバ装置。
【請求項１４】
コンピュータを、請求項１２記載の携帯端末装置として機能させるためのプログラム。
【請求項１５】
コンピュータを、請求項１３記載の認証サーバ装置として機能させるためのプログラム。
【発明の詳細な説明】
【技術分野】
【０００１】
本発明は、携帯端末装置および電子機器からの要求に応じて、認証サーバ装置が携帯端末装置および電子機器の認証を行う認証方法、認証システム、携帯端末装置、認証サーバ装置およびプログラムに関する。
【背景技術】
【０００２】
タッチパネルなどの入力インターフェイスや、大容量かつ小型化された記録メディアの開発が進み、無線通信技術の向上、無線通信設備の整備などにより、スマートフォンやタブレットＰＣ（パーソナルコンピュータ）などの携帯端末装置によって実現できる機能が大幅に向上し、普及率も高いものとなっている。
【０００３】
このような携帯端末装置向けに提供されるサービスも動画や楽曲、電子書籍などの各種コンテンツを配信するコンテンツ配信サービスなど多種多様なものがある。携帯端末装置で各種サービスを受けるためには、サービスを提供する提供者が管理するサーバ装置に携帯端末装置を接続し、コンテンツデータなどをサーバ装置から受信する必要がある。携帯端末装置でサービスの提供を受けるためには、予め携帯端末装置を認証サーバ装置に登録し、必要に応じて認証サーバ装置からの認証を受けて各種データの送受信を行う。
【０００４】
認証サーバ装置による携帯端末装置の認証は、たとえば、携帯端末装置を識別可能な固有の識別情報と、認証パスワードとを予め関連付けて登録しておき、認証が必要な時には、携帯端末装置から識別情報と認証パスワードとを認証サーバ装置に送信し、登録されているものと一致すれば、認証サーバ装置が携帯端末装置を認証する。
【０００５】
認証された携帯端末装置は、サービス提供用のサーバ装置などとデータ通信可能に接続された状態となり、コンテンツデータのダウンロードや共有データのアップロードなどを行うことができる。
【０００６】
サービスの利用性を向上させるには、特定の携帯端末装置のみならず、同じユーザが操作するのであれば他の携帯端末装置であっても認証可能とすることが望ましい。
【０００７】
特許文献１記載のユーザ認証システムは、ユーザ所有機器であれば機器から入力されたパスワードとユーザ認証情報とによりユーザ認証し、ユーザ非所有機器であれば機器から入力されたユーザＩＤおよび一時的パスワードとユーザ認証情報とによりユーザ認証している。
【先行技術文献】
【特許文献】
【０００８】
【特許文献１】特開２００９−１８１３９６号公報
【発明の概要】
【発明が解決しようとする課題】
【０００９】
テレビジョン受像機（テレビ）、ハードディスクレコーダなどの家庭用電化製品（家電製品）もデータ通信可能なものが多くあり、サービスの提供を受ける装置としては、携帯端末装置だけでなく、これらの家電製品も利用することができる。
【００１０】
家電製品の場合も、携帯端末装置と同じく、識別情報と認証パスワードとを認証サーバ装置に送信して認証する。識別情報としては、たとえばユーザＩＤなどを用いるが、同じサービスの提供を受ける場合には、携帯端末装置の認証も家電装置の認証も同じユーザＩＤを用いることができる。パスワードについて携帯端末装置と家電装置とで共通のパスワードとすることも可能であるが、一般的に家電装置については、ユーザ以外の他人が操作する可能性が携帯端末装置よりも高いので、セキュリティ性を高めるために、一時的パスワード（ワンタイムパスワード）を用いる場合が多い。
【００１１】
一時的パスワードの利用は、セキュリティ性が高まる反面、サービスを受けたいときにその都度一時的パスワードを発行して入力しなければならないので利便性は低下する。
【００１２】
テレビやハードディスクレコーダなどの装置は、一時的パスワードを入力するための入力手段または入力機能を備えているので、一時的パスワードの入力操作自体に大きな困難性はない。
【００１３】
掃除機、冷蔵庫、照明装置または空気調和装置などの家電装置もデータ通信が可能となっており、主に遠隔制御を受け付けるために遠隔制御サーバ装置に接続し、遠隔制御サーバ装置から受信した遠隔制御コマンドに基づいて動作する。
【００１４】
このような場合に、家電装置が認証サーバ装置に対して認証を要求し、一時的パスワードを送信して認証を受けたのちに、改めて遠隔制御サーバ装置に接続して遠隔制御コマンドを受け付けることになる。
【００１５】
しかしながら、家電製品の中には、掃除機、冷蔵庫、照明装置または空気調和装置のように、任意の文字列を入力するための入力手段または入力機能を備えていない製品があり、このような製品では、一時的パスワードを入力することが困難である。
【００１６】
また、家電製品の中には表示手段を備えていないもの、備えていても特定の内容しか表示できないものなどがある。家電製品と携帯端末装置とで無線通信を行い、家電製品を認証サーバ装置に認証させようとした場合に、表示手段を備えていない家電製品、表示手段を備えていても表示内容が制限された家電製品では、実際にどの家電製品を認証させようとしているのか、携帯端末装置のユーザは確認することができず、誤った家電製品を認証させてしまうおそれがある。
【００１７】
本発明の目的は、携帯端末装置によって、家電製品の代わりに容易に認証サーバ装置に家電製品を認証させることができる認証方法、認証システム、携帯端末装置、認証サーバ装置およびプログラムを提供することである。
【００１８】
本発明の他の目的は、認証させたい家電製品を正しく認証させることができる認証方法、認証システム、携帯端末装置、認証サーバ装置およびプログラムを提供することである。
【課題を解決するための手段】
【００１９】
本発明は、携帯端末装置と、認証サーバ装置と、電子機器とが互いにデータ通信可能に構成される認証システムにおける、携帯端末装置および電子機器からの要求に応じて、認証サーバ装置が携帯端末装置および電子機器の認証を行う認証方法であって、
（ａ）認証サーバ装置によってすでに認証された携帯端末装置が、認証サーバ装置に対して、電子機器を認証させるための認証パスワードの発行を要求するパスワード要求ステップと、
（ｂ）認証サーバ装置が、携帯端末装置から認証パスワードの発行の要求を受けると、認証パスワードを発行し、発行した認証パスワードを、認証パスワードの発行を要求した携帯端末装置に対して送信するパスワード発行ステップと、
（ｃ）携帯端末装置が、認証サーバ装置から認証パスワードを受信すると、受信した認証パスワードを、認証させようとする電子機器に対して送信する送信ステップと、
（ｄ）電子機器が、携帯端末装置から認証パスワードを受信すると、受信した認証パスワードを発行した認証サーバに対して、受信した認証パスワードを送信するとともに、認証を要求し、認証を要求したことをユーザに報知する認証要求ステップと、
（ｅ）認証サーバ装置が、電子機器から認証パスワードを受信し、認証の要求を受けると、受信した認証パスワードの発行をパスワード要求ステップで要求した携帯端末装置に対して、電子機器の認証を許可するかどうかを確認する確認ステップと、
（ｆ）携帯端末装置が、認証サーバ装置からの確認に対して電子機器の認証を許可するとの確認結果または許可しないとの確認結果を、認証サーバ装置に送信する確認結果送信ステップと、
（ｇ）認証サーバ装置が、携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証する機器認証ステップと、を有することを特徴とする認証方法である。
【００２０】
また本発明は、（ｄ）認証要求ステップで、電子機器に認証を継続して許可する期間の有効期限が設定されていることを特徴とする。
【００２１】
また本発明は、前記有効期限は、（ｃ）送信ステップで、携帯端末装置が設定することを特徴とする。
【００２２】
また本発明は、電子機器は、文字列を入力する入力手段を備えていないことを特徴とする。
【００２３】
また本発明は、電子機器は、掃除機、冷蔵庫、照明装置または空気調和装置であることを特徴とする。
【００２４】
また本発明は、携帯端末装置と、認証サーバ装置と、電子機器とからなり、これらが互いにデータ通信可能に構成され、携帯端末装置および電子機器からの要求に応じて、認証サーバ装置が携帯端末装置および電子機器の認証を行う認証システムであって、
携帯端末装置は、
認証サーバ装置によってすでに認証された状態で、認証サーバ装置に対して、電子機器を認証させるための認証パスワードの発行を要求するパスワード要求手段と、
認証サーバ装置から認証パスワードを受信すると、受信した認証パスワードを、認証させようとする電子機器に対して送信する送信手段と、
認証サーバ装置からの確認に対して電子機器の認証を許可するとの確認結果または許可しないとの確認結果を認証サーバ装置に送信する確認結果送信手段と、を備え、
電子機器は、
携帯端末装置から認証パスワードを受信すると、受信した認証パスワードを発行した認証サーバに対して、受信した認証パスワードを送信するとともに、認証を要求する認証要求手段と、
認証要求手段が、認証サーバに対して自機の認証を要求すると、認証を要求したことをユーザに報知する報知手段と、を備え、
認証サーバ装置は、
携帯端末装置から認証パスワードの発行の要求を受けると、認証パスワードを発行し、発行した認証パスワードを、認証パスワードの発行を要求した携帯端末装置に対して送信するパスワード発行手段と、
電子機器から認証パスワードを受信し、認証の要求を受けると、受信した認証パスワードの発行を要求した携帯端末装置に対して、電子機器の認証を許可するかどうかを確認する確認手段と、
携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証する機器認証手段と、を備えることを特徴とする認証システムである。
【００２５】
また本発明は、電子機器の認証を許可する場合には、認証を継続して許可する期間である認証期間の有効期限が設定されていることを特徴とする。
【００２６】
また本発明は、携帯端末装置は、前記有効期限を設定する有効期限設定手段をさらに備えることを特徴とする。
【００２７】
また本発明は、報知手段は、発光することで報知する発光装置または音声を出力することで報知する音声出力装置であることを特徴とする。
【００２８】
また本発明は、電子機器は、文字列を入力する入力手段を備えていないことを特徴とする。
【００２９】
また本発明は、電子機器は、掃除機、冷蔵庫、照明装置または空気調和装置であることを特徴とする。
【００３０】
また本発明は、携帯端末装置と、認証サーバ装置と、電子機器とからなり、これらが互いにデータ通信可能に構成され、携帯端末装置および電子機器からの要求に応じて、認証サーバ装置が携帯端末装置および電子機器の認証を行う認証システムを構成する携帯端末装置であって、
携帯端末装置は、
認証サーバ装置によってすでに認証された状態で、認証サーバ装置に対して、電子機器を認証させるための認証パスワードの発行を要求するパスワード要求手段と、
認証サーバ装置から認証パスワードを受信すると、受信した認証パスワードを、認証させようとする電子機器に対して送信する送信手段と、
認証サーバ装置からの確認に対して電子機器の認証を許可するとの確認結果または許可しないとの確認結果を認証サーバ装置に送信する確認結果送信手段と、を備え、
電子機器は、
携帯端末装置から認証パスワードを受信すると、受信した認証パスワードを発行した認証サーバに対して、受信した認証パスワードを送信するとともに、認証を要求する認証要求手段と、
認証要求手段が、認証サーバに対して自機の認証を要求すると、認証を要求したことをユーザに報知する報知手段と、を備え、
認証サーバ装置は、
携帯端末装置から認証パスワードの発行の要求を受けると、認証パスワードを発行し、発行した認証パスワードを、認証パスワードの発行を要求した携帯端末装置に対して送信するパスワード発行手段と、
電子機器から認証パスワードを受信し、認証の要求を受けると、受信した認証パスワードの発行を要求した携帯端末装置に対して、電子機器の認証を許可するかどうかを確認する確認手段と、
携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証する機器認証手段と、を備えていることを特徴とする携帯端末装置である。
【００３１】
また本発明は、携帯端末装置と、認証サーバ装置と、電子機器とからなり、これらが互いにデータ通信可能に構成され、携帯端末装置および電子機器からの要求に応じて、認証サーバ装置が携帯端末装置および電子機器の認証を行う認証システムを構成する認証サーバ装置であって、
携帯端末装置は、
認証サーバ装置によってすでに認証された状態で、認証サーバ装置に対して、電子機器を認証させるための認証パスワードの発行を要求するパスワード要求手段と、
認証サーバ装置から認証パスワードを受信すると、受信した認証パスワードを、認証させようとする電子機器に対して送信する送信手段と、
認証サーバ装置からの確認に対して電子機器の認証を許可するとの確認結果または許可しないとの確認結果を認証サーバ装置に送信する確認結果送信手段と、を備えており、
電子機器は、
携帯端末装置から認証パスワードを受信すると、受信した認証パスワードを発行した認証サーバに対して、受信した認証パスワードを送信するとともに、認証を要求する認証要求手段と、
認証要求手段が、認証サーバに対して自機の認証を要求すると、認証を要求したことをユーザに報知する報知手段と、を備え、
認証サーバ装置は、
携帯端末装置から認証パスワードの発行の要求を受けると、認証パスワードを発行し、発行した認証パスワードを、認証パスワードの発行を要求した携帯端末装置に対して送信するパスワード発行手段と、
電子機器から認証パスワードを受信し、認証の要求を受けると、受信した認証パスワードの発行を要求した携帯端末装置に対して、電子機器の認証を許可するかどうかを確認する確認手段と、
携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証する機器認証手段と、を備えることを特徴とする認証サーバ装置である。
【００３２】
また本発明は、コンピュータを、上記の携帯端末装置として機能させるためのプログラムである。
【００３３】
また本発明は、コンピュータを、上記の認証サーバ装置として機能させるためのプログラムである。
【発明の効果】
【００３４】
本発明によれば、携帯端末装置と、認証サーバ装置と、電子機器とが互いにデータ通信可能に構成される認証システムにおいて行われる認証方法であって、携帯端末装置および電子機器からの要求に応じて、認証サーバ装置が携帯端末装置および電子機器の認証を行う認証方法である。
【００３５】
（ａ）パスワード要求ステップでは、認証サーバ装置によってすでに認証された携帯端末装置が、認証サーバ装置に対して、電子機器を認証させるための認証パスワードの発行を要求すると、
（ｂ）パスワード発行ステップでは、認証サーバ装置が、携帯端末装置から認証パスワードの発行の要求を受けると、認証パスワードを発行し、発行した認証パスワードを、認証パスワードの発行を要求した携帯端末装置に対して送信する。
【００３６】
（ｃ）送信ステップでは、携帯端末装置が、認証サーバ装置から認証パスワードを受信すると、受信した認証パスワードを、認証させようとする電子機器に対して送信すると、
（ｄ）認証要求ステップで、電子機器が、携帯端末装置から認証パスワードを受信すると、受信した認証パスワードを発行した認証サーバに対して、受信した認証パスワードを送信するとともに、認証を要求する。さらに、認証サーバに認証を要求したことをユーザに報知する。
【００３７】
（ｅ）確認ステップでは、認証サーバ装置が、電子機器から認証パスワードを受信し、認証の要求を受けると、受信した認証パスワードの発行をパスワード要求ステップで要求した携帯端末装置に対して、電子機器の認証を許可するかどうかを確認し、
（ｆ）確認結果送信ステップで、携帯端末装置が、認証サーバ装置からの確認に対して電子機器の認証を許可するとの確認結果または許可しないとの確認結果を送信する。
【００３８】
（ｇ）機器認証ステップでは、認証サーバ装置が、携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証する。
【００３９】
このような方法により、携帯端末装置によって、家電製品の代わりに容易に認証サーバ装置に家電製品を認証させることができる。また、携帯端末装置のユーザは、認証を要求した電子機器を容易に確認し、認証させたい家電製品を正しく認証させることができる。
【００４０】
また本発明によれば、（ｄ）認証要求ステップで、電子機器に認証を継続して許可する期間の有効期限が設定されている。電子機器は、ユーザ以外の他人が操作する可能性が高いので、認証パスワードに有効期限を設定することで、セキュリティ性を高めることができる。
【００４１】
また本発明によれば、前記有効期限は、（ｃ）送信ステップで、携帯端末装置が設定するので、携帯端末装置を操作することで、ユーザが所望の有効期限を設定することができる。
【００４２】
また本発明によれば、文字列を入力する入力手段を備えていない電子機器であっても、認証サーバ装置に電子機器を認証させることができる。
【００４３】
また本発明によれば、電子機器として、掃除機、冷蔵庫、照明装置または空気調和装置を認証させることができる。
【００４４】
また本発明によれば、携帯端末装置と、認証サーバ装置と、電子機器とからなり、これらが互いにデータ通信可能に構成され、携帯端末装置および電子機器からの要求に応じて、認証サーバ装置が携帯端末装置および電子機器の認証を行う認証システムである。
【００４５】
認証サーバ装置によってすでに認証された状態で、携帯端末装置のパスワード要求手段が、認証サーバ装置に対して、電子機器を認証させるための認証パスワードの発行を要求すると、認証サーバ装置のパスワード発行手段が、携帯端末装置から認証パスワードの発行の要求を受けると、認証パスワードを発行し、発行した認証パスワードを、認証パスワードの発行を要求した携帯端末装置に対して送信する。
【００４６】
認証サーバ装置から認証パスワードを受信すると、受信した認証パスワードを、携帯端末装置の送信手段が、認証させようとする電子機器に対して送信する。
【００４７】
携帯端末装置から認証パスワードを受信すると、電子機器の認証要求手段は、受信した認証パスワードを発行した認証サーバに対して、受信した認証パスワードを送信するとともに、認証を要求する。報知手段は、認証要求手段が、認証サーバに対して自機の認証を要求すると、認証を要求したことをユーザに報知する。
【００４８】
電子機器から認証パスワードを受信し、認証の要求を受けると、認証サーバ装置の確認手段は、受信した認証パスワードの発行を要求した携帯端末装置に対して、電子機器の認証を許可するかどうかを確認する。
【００４９】
携帯端末装置の確認結果送信手段は、認証サーバ装置からの確認に対して電子機器の認証を許可するとの確認結果または許可しないとの確認結果を認証サーバ装置に送信する。
【００５０】
認証サーバ装置の機器認証手段は、携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証する。
【００５１】
このような認証システムにより、携帯端末装置によって、家電製品の代わりに容易に認証サーバ装置に家電製品を認証させることができる。また、携帯端末装置のユーザは、認証を要求した電子機器を容易に確認し、認証させたい家電製品を正しく認証させることができる。
【００５２】
また本発明によれば、電子機器の認証を許可する場合には、認証を継続して許可する期間である認証期間の有効期限が設定されている。電子機器は、ユーザ以外の他人が操作する可能性が高いので、認証期間に有効期限を設定することで、セキュリティ性を高めることができる。
【００５３】
また本発明によれば、前記有効期限は、携帯端末装置の有効期限設定手段が設定するので、携帯端末装置を操作することで、ユーザが所望の有効期限を設定することができる。
【００５４】
また本発明によれば、報知手段は、発光することで報知する発光装置または音声を出力することで報知する音声出力装置である。
【００５５】
これにより、携帯端末装置のユーザは、認証を要求した電子機器を容易に確認することができる。
【００５６】
また本発明によれば、文字列を入力する入力手段を備えていない電子機器であっても、認証サーバ装置に電子機器を認証させることができる。
【００５７】
また本発明によれば、電子機器として、掃除機、冷蔵庫、照明装置または空気調和装置を認証させることができる。
【００５８】
また本発明によれば、携帯端末装置と、認証サーバ装置と、電子機器とからなり、これらが互いにデータ通信可能に構成され、携帯端末装置および電子機器からの要求に応じて、認証サーバ装置が携帯端末装置および電子機器の認証を行う認証システムを構成する携帯端末装置である。
【００５９】
認証サーバ装置によってすでに認証された状態で、携帯端末装置のパスワード要求手段が、認証サーバ装置に対して、電子機器を認証させるための認証パスワードの発行を要求すると、認証サーバ装置のパスワード発行手段が、携帯端末装置から認証パスワードの発行の要求を受けると、認証パスワードを発行し、発行した認証パスワードを、認証パスワードの発行を要求した携帯端末装置に対して送信する。
【００６０】
認証サーバ装置から認証パスワードを受信すると、受信した認証パスワードを、携帯端末装置の送信手段が、認証させようとする電子機器に対して送信する。
【００６１】
携帯端末装置から認証パスワードを受信すると、電子機器の認証要求手段は、受信した認証パスワードを発行した認証サーバに対して、受信した認証パスワードを送信するとともに、認証を要求する。報知手段は、認証要求手段が、認証サーバに対して自機の認証を要求すると、認証を要求したことをユーザに報知する。
【００６２】
電子機器から認証パスワードを受信し、認証の要求を受けると、認証サーバ装置の確認手段は、受信した認証パスワードの発行を要求した携帯端末装置に対して、電子機器の認証を許可するかどうかを確認する。
【００６３】
携帯端末装置の確認結果送信手段は、認証サーバ装置からの確認に対して電子機器の認証を許可するとの確認結果または許可しないとの確認結果を認証サーバ装置に送信する。
【００６４】
認証サーバ装置の機器認証手段は、携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証する。
【００６５】
このような携帯端末装置によって、家電製品の代わりに容易に認証サーバ装置に家電製品を認証させることができる。また、携帯端末装置のユーザは、認証を要求した電子機器を容易に確認し、認証させたい家電製品を正しく認証させることができる。
【００６６】
また本発明によれば、携帯端末装置と、認証サーバ装置と、電子機器とからなり、これらが互いにデータ通信可能に構成され、携帯端末装置および電子機器からの要求に応じて、認証サーバ装置が携帯端末装置および電子機器の認証を行う認証システムを構成する認証サーバ装置である。
【００６７】
認証サーバ装置によってすでに認証された状態で、携帯端末装置のパスワード要求手段が、認証サーバ装置に対して、電子機器を認証させるための認証パスワードの発行を要求すると、認証サーバ装置のパスワード発行手段が、携帯端末装置から認証パスワードの発行の要求を受けると、認証パスワードを発行し、発行した認証パスワードを、認証パスワードの発行を要求した携帯端末装置に対して送信する。
【００６８】
認証サーバ装置から認証パスワードを受信すると、受信した認証パスワードを、携帯端末装置の送信手段が、認証させようとする電子機器に対して送信する。
【００６９】
携帯端末装置から認証パスワードを受信すると、電子機器の認証要求手段は、受信した認証パスワードを発行した認証サーバに対して、受信した認証パスワードを送信するとともに、認証を要求する。報知手段は、認証要求手段が、認証サーバに対して自機の認証を要求すると、認証を要求したことをユーザに報知する。
【００７０】
電子機器から認証パスワードを受信し、認証の要求を受けると、認証サーバ装置の確認手段は、受信した認証パスワードの発行を要求した携帯端末装置に対して、電子機器の認証を許可するかどうかを確認する。
【００７１】
携帯端末装置の確認結果送信手段は、認証サーバ装置からの確認に対して電子機器の認証を許可するとの確認結果または許可しないとの確認結果を認証サーバ装置に送信する。
【００７２】
認証サーバ装置の機器認証手段は、携帯端末装置から確認結果を受信し、受信した確認結果が、電子機器の認証を許可しないとの確認結果であれば、認証を要求した電子機器を認証せず、電子機器の認証を許可するとの確認結果であれば、認証を要求した電子機器を認証する。
【００７３】
このような認証サーバ装置によって、携帯端末装置と通信することで、容易に家電製品を認証することができる。また、携帯端末装置のユーザは、認証を要求した電子機器を容易に確認し、認証させたい家電製品を正しく認証させることができる。
【００７４】
また本発明によれば、コンピュータを、上記の携帯端末装置として機能させるためのプログラムおよびコンピュータを、上記の認証サーバ装置として機能させるためのプログラムを提供することができる。
【図面の簡単な説明】
【００７５】
【図１】本発明の実施形態である認証システムＡの構成を示す概略図である。
【図２】認証サーバ装置２の構成を示すブロック図である。
【図３】携帯端末装置１の構成を示すブロック図である。
【図４】自律型掃除機３の構成を示すブロック図である。
【図５Ａ】認証システムＡにおける認証処理を示すシーケンス図である。
【図５Ｂ】認証システムＡにおける認証処理を示すシーケンス図である。
【図６】認証処理における携帯端末装置１の表示部１６に表示される画面例を示す図である。
【発明を実施するための形態】
【００７６】
図１は、本発明の実施形態である認証システムＡの構成を示す概略図である。
認証システムＡは、携帯端末装置１と、認証サーバ装置２と、自律型掃除機３と、冷蔵庫４と含み、認証サーバ装置２と携帯端末装置１、自律型掃除機３および冷蔵庫４とは、移動体通信網、公衆電話回線網およびインターネットなどの各種ネットワークＮを介して接続される。
【００７７】
携帯端末装置１と自律型掃除機３および冷蔵庫４とは、近距離無線通信が可能であり、たとえばＷｉ−Ｆｉ（登録商標）、Ｂｌｕｅｔｏｏｔｈ（登録商標）あるいはＺｉｇｂｅｅ（登録商標）などの通信方式で無線通信を行う。
【００７８】
携帯端末装置１は、たとえばスマートフォン、タブレットＰＣなどで実現される。以下では、携帯端末装置１がスマートフォンである場合を例にして説明する。
【００７９】
自律型掃除機３は、いわゆる掃除ロボットであり、予め定める走行ルートか、障害物を避けながら走行する走行ルートに沿って自走し、床面上のごみを吸引して除去する電子機器である。
【００８０】
冷蔵庫４は、冷蔵室、冷凍室、野菜室などの複数の収容空間を持ち、飲食物などを冷蔵保管または冷蔵保管する電子機器である。
【００８１】
図２は、認証サーバ装置２の構成を示すブロック図である。認証サーバ装置２は、通信部２１、ＣＰＵ２２、一時記憶部２３および記憶部２４を含んで構成される。通信部２１は、ネットワークＮと接続するためのインターフェイスである。ＣＰＵ（中央演算処理装置）２２は、認証サーバ装置２全体の動作を制御する。一時記憶部２３は、書き込み速度および読み出し速度が記憶部２４よりも高速で揮発性の記憶装置、たとえばＤＲＡＭなどの半導体メモリによって構成され、ＣＰＵ２２がプログラムを実行するために必要な情報を一時的に記憶するワークメモリである。記憶部２４は、不揮発性の大容量の記憶装置、たとえばＳＳＤあるいはフラッシュメモリカードなどの半導体メモリ、またはＨＤＤなどによって構成される。記憶部２４は、ＣＰＵ２２によって実行される各種プログラムを記憶するプログラム記憶領域２４ａおよびＣＰＵ２２が各種プログラムを実行するために必要なデータを記憶するデータ記憶領域２４ｂを有する。
【００８２】
図３は、携帯端末装置１の構成を示すブロック図である。携帯端末装置１は、通信部１１、ＣＰＵ１２、一時記憶部１３、記憶部１４、操作部１５および表示部１６を含んで構成される。
【００８３】
通信部１１は、ネットワークＮおよび電子機器である自律型掃除機３および冷蔵庫４と接続するためのインターフェイスであり、無線通信によって接続するためのアンテナ１１ａを有する。ＣＰＵ１２は、携帯端末装置１全体の動作を制御する。一時記憶部１３は、書き込み速度および読み出し速度が記憶部１４よりも高速で揮発性の記憶装置、たとえばＤＲＡＭなどの半導体メモリによって構成され、ＣＰＵ１２がプログラムを実行するために必要な情報を一時的に記憶するワークメモリである。記憶部１４は、不揮発性の大容量の記憶装置、たとえばＳＳＤあるいはフラッシュメモリカードなどの半導体メモリ、またはＨＤＤなどによって構成される。記憶部１４は、ＣＰＵ１２によって実行される各種プログラムを記憶するプログラム記憶領域１４ａおよびＣＰＵ１２が各種プログラムを実行するために必要なデータを記憶するデータ記憶領域１４ｂを有する。
【００８４】
操作部１５は、文字、数字および記号などの情報などを入力するための複数のキーによって構成される。操作部１５は、操作されたキーに対応付けられている情報をＣＰＵ１２に送る。操作部１５は、メカニカルキーであってもよく、ソフトキーであってもよく、ソフトキーを実現するためのタッチパネルを備えることが好ましい。表示部１６は、たとえば液晶パネルなどの表示装置によって構成され、ＣＰＵ１２が生成する画像データに基づいて画像を表示する。図示していないが、携帯端末装置１は、携帯電話装置としての機能を有し、通話音声を出力するためのスピーカ、通話音声を入力するためのマイクなどの電話通信に必要な構成を備えている。
【００８５】
図４は、自律型掃除機３の構成を示すブロック図である。自律型掃除機３は、通信部３１、ＣＰＵ３２、一時記憶部３３、記憶部３４、吸引部３５、走行部３６および発光部３７を含んで構成される。
【００８６】
通信部３１は、ネットワークＮおよび携帯端末装置１と接続するためのインターフェイスであり、無線通信によって接続するためのアンテナ３１ａを有する。ＣＰＵ３２は、自律型掃除機３全体の動作を制御する。一時記憶部３３は、書き込み速度および読み出し速度が記憶部３４よりも高速で揮発性の記憶装置、たとえばＤＲＡＭなどの半導体メモリによって構成され、ＣＰＵ３２がプログラムを実行するために必要な情報を一時的に記憶するワークメモリである。記憶部３４は、不揮発性の大容量の記憶装置、たとえばＳＳＤあるいはフラッシュメモリカードなどの半導体メモリ、またはＨＤＤなどによって構成される。記憶部３４は、ＣＰＵ３２によって実行される各種プログラムを記憶するプログラム記憶領域３４ａおよびＣＰＵ３２が各種プログラムを実行するために必要なデータを記憶するデータ記憶領域３４ｂを有する。
【００８７】
吸引部３５は、送風機、吸引ノズル、エアフィルタなどからなり、送風機で起こした風により負圧を発生させ、吸引ノズルから塵とともに空気を取込、エアフィルタで塵を捕捉して空気を排出する。走行部３６は、駆動用モータと、駆動輪、自在輪などからなり、駆動用モータにより駆動輪を回転駆動させ、自在輪の向きを変化させて操舵することにより、走行ルートに従って自律型掃除機３を走行させる。
【００８８】
発光部３７は、たとえばＬＥＤなどの発光装置によって実現され、点灯、点滅などすることによって、認証処理中に携帯端末装置１からの認証の確認を待っている待機状態であることをユーザに報知する。ユーザは、自律型掃除機３の発光部３７が発光することで、認証させようとする機器が正しく待機状態にあることを確認することができる。また、報知手段は、発光部に限らず、報知音声を出力する音声出力部を備えていてもよい。いずれにしても、ユーザが待機状態を確認することができるのであれば、報知の手段はどのようなものでも用いることができる。上記以外にたとえば、機器が振動機能を有していれば、振動することで報知してもよく、自走機能を有していれば、走行することで報知してもよく、動作可能な部位を有していれば、その部位を動作させることで報知してもよく、表示機能を有していれば、報知画面を表示してもよい。
【００８９】
図５Ａおよび図５Ｂは、認証システムＡにおける認証処理を示すシーケンス図である。図６は、認証処理における携帯端末装置１の表示部１６に表示される画面例を示す図である。
【００９０】
まず、携帯端末装置１が認証サーバ装置２にログインするために、ステップＡ１で認証サーバ装置２に対して認証情報を送信する。送信する認証情報は、ユーザＩＤ、装置ＩＤなどの識別情報と、認証パスワードである。
【００９１】
認証情報を受信した認証サーバ装置２は、ステップＢ１で記憶部２４に予め登録された認証情報と照合し、一致すれば携帯端末装置１を認証してログインを受け付ける。認証が成功してログインが完了すると携帯端末装置１の表示部１６には、ログイン完了を示す画面が表示される（図６（ａ））。
【００９２】
ユーザが自律型掃除機３を認証させたい場合には、ログインした状態でＩＤの共有を行う。ＩＤの共有を行う場合、携帯端末装置１の表示部１６に、ＩＤ共有画面が表示されるので、たとえば「共有する」と表示されたソフトキー４０をユーザがタップすると、携帯端末装置１は、ステップＡ２で認証サーバ装置２に対してＩＤの共有を要求する。具体的には、携帯端末装置１が、自律型掃除機３を認証させるための認証パスワードの発行を認証サーバ装置２に対して要求する。ここで、認証パスワードは、携帯端末装置１の認証のためのパスワードとは異なり、一時的に発行されるワンタイムパスワードである。
【００９３】
ステップＢ２で、認証サーバ装置２が、携帯端末装置１からＩＤ共有の要求を受けると、ステップＢ３で、ＩＤ共有を要求してきた携帯端末装置１に対して、認証サーバ装置２がＩＤ共有情報を送信する。具体的には、自律型掃除機３を認証するためのワンタイムパスワードを発行するとともに、自律型掃除機３が認証サーバ装置２にアクセスするために必要な認証サーバ装置２のＵＲＬ（サーバＵＲＬ）を、ワンタイムパスワードと併せて携帯端末装置１に送信する。
【００９４】
携帯端末装置１が、ステップＡ３でＩＤ共有情報として、認証サーバ２装置からワンタイムパスワードとサーバＵＲＬとを受信すると、ステップＡ４で、携帯端末装置１が認証させたい電子機器を選択する。
【００９５】
携帯端末装置１は、近距離無線通信によって、自律型掃除機３以外に冷蔵庫４や図示しない空気調和装置（エアコン）、照明装置（シーリングライト）などとも接続可能であり。ＩＤ共有を要求する前に予め、これら複数の電子機器と無線接続による接続状態を確立している。なお、ステップＡ４において、無線接続による接続状態を確立するようにしてもよい。いすれにしても、複数の電子機器との接続状態が確立した状態で、ＩＤを共有したい、すなわち認証させたい電子機器を１つ選択する。
【００９６】
携帯端末装置１の表示部１６に、携帯端末装置１と、現在無線接続による接続状態が確立している電子機器を表示し（図６（ｃ））、表示された電子機器の中から１つの電子機器、本例では自律型掃除機３を選択する。電子機器の選択は、たとえば、「掃除機」ソフトキー４１、「冷蔵庫」ソフトキー４２、「エアコン」ソフトキー４３から１つのソフトキーをユーザがタップすることで選択することができる。以下では、ステップＡ４で、「掃除機」ソフトキー４１がタップされ、自律型掃除機３が選択されたとして説明する。
【００９７】
ステップＡ５では、選択された自律型掃除機３に対して、携帯端末装置１が、認証サーバ装置２から受信したＩＤ共有情報であるワンタイムパスワードとサーバＵＲＬとを、接続が確立されている無線通信によって送信する。
【００９８】
自律型掃除機３は、ステップＣ１で、無線通信によって携帯端末装置１からＩＤ共有情報であるワンタイムパスワードとサーバＵＲＬとを受信する。自律型掃除機３は、ユーザからの入力を受け付ける入力手段を持たないので、ワンタイムパスワードとサーバＵＲＬを受信した自律型掃除機３は、無条件でサーバＵＲＬに基づいて認証サーバ装置２にアクセスし、ワンタイムパスワードを送信して自機の認証を要求する。
【００９９】
認証サーバ装置２は、ステップＢ４で、自律型掃除機３から認証の要求を受け、ワンタイムパスワードを受信すると、ステップＢ５で受信したＩＤ共有情報であるワンタイムパスワードを記憶部２４に登録されている、発行済みのワンタイムパスワードと照合し、一致すれば、ステップＢ６で、認証を要求してきた自律型掃除機３に対して、認証のための動作を待機させるための待機信号を送信する。
【０１００】
ここで、ワンタイムパスワードが一致したとしても即座に自律型掃除機３を認証するのではなく、一旦認証のための動作を待機させる。上記のように、携帯端末装置１は、近距離無線通信によって、広範囲に存在する多くの電子機器と無線接続を確立することができるため、ステップＡ４で選択した１つの電子機器が、ユーザが本来認証させたい電子機器とは一致していない可能性がある。
【０１０１】
認証サーバ装置２から待機信号を受信した自律型掃除機３は、ステップＣ３で待機動作を行う。待機動作とは、自律型掃除機３が認証サーバ装置２との接続状態を維持したまま、現在認証を受けようとして待機している電子機器が、自機であることをユーザに対して報知する。具体的には、発光部３７を発光させることでユーザに対して待機状態であることを報知する。
【０１０２】
ユーザは、発光部３７の発光を見て、ステップＡ４で選択した電子機器である掃除機が、自分が認証させたい自律型掃除機３であることを確認することができる。
【０１０３】
認証サーバ装置２は、ステップＢ６で自律型掃除機３に待機信号を送信した一方で、携帯端末装置１に対しては、ステップＢ７で、ＩＤ共有確認画面を送信する。これにより、認証サーバ装置２から、携帯端末装置１に対して自律型掃除機３の認証を許可するかどうかを確認することになる。
【０１０４】
携帯端末装置１は、ステップＡ６で、認証サーバ装置２からＩＤ共有確認画面を受信すると、表示部１６に、ＩＤ共有確認画面を表示する。ＩＤ共有確認画面は、たとえば図６（ｄ）に示すような認証期間の有効期限の設定画面を兼ねている。ＩＤ共有確認画面には、複数のラジオボタン４４が表示され、有効期限となる「２時間」、「５時間」、「無制限」のうち１つを選択することができる。有効期限を選択して設定することは、すなわち認証を許可することと同義であるので、ステップＡ７で認証の確認操作として、ユーザが「２時間」に対応するラジオボタン４４を選択して、「確認」ソフトキー４５をタップすると、ステップＡ８で、携帯端末装置１から認証サーバ装置２に対して、自律型掃除機３の認証を許可するとの確認結果を送信する。このとき、選択した有効期限も確認結果と併せて認証サーバ装置２へと送信する。
【０１０５】
また、ユーザが「確認」ソフトキー４５ではなく「キャンセル」ソフトキー４６をタップすると、ステップＡ８で、携帯端末装置１から認証サーバ装置２に対して、自律型掃除機３の認証を許可しないとの確認結果を送信する。
【０１０６】
ユーザは、上記のように、発光部３７の発光などによって認証待機状態となっている電子機器を確認し、ユーザが認証させようとしている電子機器と、待機状態となっている電子機器とが一致していれば、「確認」ソフトキー４５をタップすればよく、一致していなければ、ステップＡ４で間違った電子機器を選択してしまったものとして「キャンセル」ソフトキー４６をタップすればよい。
【０１０７】
認証サーバ装置２は、ステップＢ８で、携帯端末装置１から確認結果を受信すると、ステップＢ９で、確認結果が、自律型掃除機３の認証を許可するとの結果であるか認証を許可しないとの結果であるかを判断する。携帯端末装置１から受信した確認結果が、自律型掃除機３の認証を許可するとの結果であればステップＢ１０で認証完了信号を、自律型掃除機３に対して送信し、ステップＢ１１で認証完了画面を携帯端末装置１に対して送信する。携帯端末装置１から受信した確認結果が、自律型掃除機３の認証を許可しないとの結果であればステップＢ１２で認証失敗信号を、自律型掃除機３に対して送信する。
【０１０８】
自律型掃除機３は、ステップＣ４で、認証サーバ装置２から認証結果を受信する。受信する認証結果は、認証完了信号か認証失敗信号のいずれかである。自律型掃除機３は、ステップＣ５で、認証結果が認証完了であったか認証失敗であったかを判断し、認証完了であれば、ステップＣ６で認証完了動作を行い、認証失敗であれば、ステップＣ７で認証失敗動作を行う。自律型掃除機３の認証が完了したのちは、強制的に認証を中断するなどのユーザ操作または認証サーバ装置２により認証を中断するような処理が実行されない限り、ステップＡ８で有効期限として送信された認証期間内は、認証サーバ装置２による自律型掃除機３の認証が継続される。
【０１０９】
認証完了動作は、たとえば、携帯端末装置１が、認証サーバ装置２へのログイン状態を維持して、サービスの提供を受ける。認証失敗動作は、たとえば、携帯端末装置１が、認証サーバ装置２との接続を切断して、通常の動作状態に復帰する。
【０１１０】
携帯端末装置１は、ステップＡ９で送信した確認結果が、自律型掃除機３の認証を許可するとの確認結果であったか、認証を許可しないとの確認結果であったかを判断し、認証を許可するとの確認結果であれば、ステップＡ１０で、認証サーバ装置２がステップＢ１１で送信した認証完了画面を受信し、受信した認証完了画面をステップＡ１１で表示部１６に表示する。認証完了画面は、たとえば図６（ｅ）に示すように、「ＩＤを共有しました」など、自律型掃除機３の認証が完了したことをユーザに知らせることができる文字列を表示すればよい。認証を許可しないとの確認結果であれば、携帯端末装置１は、ステップＡ１２で認証キャンセル動作を行う。たとえば、表示部１６に、「認証をキャンセルしました」など自律型掃除機３の認証をキャンセルしたことをユーザに知らせることができる文字列を表示すればよい。
【０１１１】
なお、上記では認証させようとする電子機器として自律型掃除機３を例として説明したが、通信機能を備えている電子機器であれば、冷蔵庫４や空気調和装置（エアコン）、照明装置（シーリングライト）などその他の家電製品に対しても同様に認証システムに組み込むことができる。
【０１１２】
本発明は、特に家電製品のうち、外部からパスワードを入力するための入力手段を有していない家電製品であっても、携帯端末装置１が家電製品の代わりとなって、認証サーバ装置２に家電製品を認証させることができる。
【符号の説明】
【０１１３】
１      携帯端末装置
２      認証サーバ装置
３      自律型掃除機
４      冷蔵庫
１１    通信部
１１ａ  アンテナ
１２    ＣＰＵ
１３    一時記憶部
１４    記憶部
１４ａ  プログラム記憶領域
１４ｂ  データ記憶領域
１５    操作部
１６    表示部
２１    通信部
２２    ＣＰＵ
２３    一時記憶部
２４    記憶部
２４ａ  プログラム記憶領域
２４ｂ  データ記憶領域
３１    通信部
３１ａ  アンテナ
３２    ＣＰＵ
３３    一時記憶部
３４    記憶部
３４ａ  プログラム記憶領域
３４ｂ  データ記憶領域
３５    吸引部
３６    走行部
３７    発光部
Ａ      認証システム
【図１】
2014021926.tif 000003
【図２】
2014021926.tif 000004
【図３】
2014021926.tif 000005
【図４】
2014021926.tif 000006
【図５Ａ】
2014021926.tif 000007
【図５Ｂ】
2014021926.tif 000008
【図６】
2014021926.tif 000009